(57)【要約】【課題】複数組のアンテナ素子とこれらに共通の反射器とにより構成してスペースに制限のある場所にも設置することができるダイバーシチ効果を発揮する多周波偏波共用或いは単一周波数アンテナ装置を提供する。【解決手段】鉛直に立てた反射器１を具備し、大地と反射器１に水平に配置された低い方の周波数ｆ１で励振されるダイポールアンテナ素子２１と高い方の周波数ｆ２で励振されるダイポールアンテナ素子３１より成る第１の水平アンテナ素子対を反射器１の前方に具備し、同様の第２の水平アンテナ素子対を反射器１の前方に具備し、第１の水平アンテナ素子対と第２の水平アンテナ素子対とを鉛直方向にアレー配置し、第１の水平アンテナ素子対と第２の水平アンテナ素子対との間に周波数ｆ２  で励振される中間ダイポールアンテナ素子３２を水平アンテナ素子対に平行に配置した多周波偏波共用或いは単一周波数アンテナ装置。【選択図】  図１
2005033261.tif 000002
【特許請求の範囲】
【請求項１】
鉛直に立てた反射器を具備し、
大地と反射器に水平に並べて配置された低い方の周波数で励振されるダイポールアンテナ素子と高い方の周波数で励振されるダイポールアンテナ素子より成る第１の水平アンテナ素子対を反射器の前方に具備し、
大地と反射器に水平に並べて配置された低い方の周波数で励振されるダイポールアンテナ素子と高い方の周波数で励振されるダイポールアンテナ素子より成る第２の水平アンテナ素子対を反射器の前方に具備し、
第１の水平アンテナ素子対と第２の水平アンテナ素子対とを鉛直方向にアレー配置し、
第１の水平アンテナ素子対と第２の水平アンテナ素子対との間に高い方の周波数で励振される中間ダイポールアンテナ素子を水平アンテナ素子対に平行に並べて配置したことを特徴とする多周波水平偏波共用或は単一周波数アンテナ装置。
【請求項２】
請求項１に記載される多周波水平偏波共用或いは単一周波数アンテナ装置において、
高い方の周波数で励振されるダイポールアンテナ素子は反射器との間の距離を全て同一としたことを特徴とする多周波水平偏波共用或いは単一周波数アンテナ装置。
【請求項３】
鉛直に立てた反射器を具備し、
大地と反射器に鉛直に並べて配置された低い方の周波数で励振される一方のダイポールアンテナ素子を反射器の前方に具備し、
大地と反射器に鉛直に並べて配置された低い方の周波数で励振される他方のダイポールアンテナ素子を反射器の前方に具備し、
一方のダイポールアンテナ素子と他方のダイポールアンテナ素子とを水平方向にアレー配置し、
低い方の周波数で励振される一方のダイポールアンテナと他方のダイポールアンテナ素子の２素子アレーの間に、これらと平行に、高い方の周波数で励振されるダイポールアンテナ素子を第１の２素子アレーとして配置し、
低い方の周波数で励振される一方のダイポールアンテナと他方のダイポールアンテナ素子の２素子アレーの間に、これらと平行に、高い方の周波数で動作するダイポールアンテナ素子を第２の２素子アレーとして並べて配置し、
第２の２素子アレーを中間ダイポールアンテナ素子を介在させて第１の２素子アレーの下側に配置したことを特徴とする多周波垂直偏波共用或いは単一周波数アンテナ装置。
【請求項４】
鉛直に立てた反射器を具備し、大地と反射器に水平に並べて配置された低い方の周波数で励振されるダイポールアンテナ素子と高い方の周波数で励振されるダイポールアンテナ素子より成る第１の水平アンテナ素子対を反射器の前方に具備し、大地と反射器に水平に並べて配置された低い方の周波数で励振されるダイポールアンテナ素子と高い方の周波数で励振されるダイポールアンテナ素子より成る第２の水平アンテナ素子対を反射器の前方に具備し、第１の水平アンテナ素子対と第２の水平アンテナ素子対とを鉛直方向にアレー配置し、第１の水平アンテナ素子対と第２の水平アンテナ素子対との間に高い方の周波数で励振される中間ダイポールアンテナ素子を水平アンテナ素子対に平行に並べて配置した多周波水平偏波共用或いは単一周波数アンテナ装置と、大地と反射器に鉛直に並べて配置された低い方の周波数で励振される一方のダイポールアンテナ素子を反射器の前方に具備し、大地と反射器に鉛直に並べて配置された低い方の周波数で励振される他方のダイポールアンテナ素子を反射器の前方に具備し、一方のダイポールアンテナ素子と他方のダイポールアンテナ素子とを水平方向にアレー配置し、低い方の周波数で励振される一方のダイポールアンテナと他方のダイポールアンテナ素子の２素子アレーの間に、これらと平行に、高い方の周波数で励振されるダイポールアンテナ素子を第１の２素子アレーとして配置し、低い方の周波数で励振される一方のダイポールアンテナと他方のダイポールアンテナ素子の２素子アレーの間に、これらと平行に、高い方の周波数で動作するダイポールアンテナ素子を第２の２素子アレーとして並べて配置し、第２の２素子アレーを中間ダイポールアンテナ素子を介在させて第１の２素子アレーの下側に配置した、ことを特徴とする多周波偏波共用或いは単一周波数アンテナ装置。
【請求項５】
請求項４に記載される多周波偏波共用或いは単一周波数アンテナ装置において、
多周波水平偏波共用或は単一周波数アンテナ装置における高い方の周波数で励振されるダイポールアンテナ素子は反射器との間の距離を全て同一としたことを特徴とする多周波偏波共用或いは単一周波数アンテナ装置。
【請求項６】
請求項４および請求項５の内の何れかに記載される多周波偏波共用或いは単一周波数アンテナ装置において、
低い方の周波数で放射される電波の垂直偏波と水平偏波の水平面内ビーム幅は同一とし、高い方の周波数で放射される電波の垂直偏波と水平偏波の水平面内ビーム幅を同一としたことを特徴とする多周波偏波共用或いは単一周波数アンテナ装置。
【発明の詳細な説明】
【０００１】
【産業上の利用分野】
この発明は、多周波偏波共用或いは単一周波数アンテナ装置に関し、特に、１組のアンテナ素子と共通の反射器とにより構成してスペースに制限のある場所にも設置することができるダイバーシチ効果を発揮する多周波偏波共用或いは単一周波数アンテナ装置に関する。
【０００２】
【従来の技術】
今日まで、単一周波数の偏波ダイバーシチアンテナ、或いは１偏波を使用する多周波共用アンテナの技術を開示した文献は知られている。しかし、これらの文献に開示される技術の偏波ダイバーシチアンテナは、反射器を含むアンテナ構造の大きさが周波数によって異なっている。換言すれば、これらの文献に記載される偏波ダイバーシチアンテナは、水平偏波用の反射器の大きさと垂直偏波用の反射器の大きさが異なっている（特許文献１、２、３  参照）。
【０００３】
【特許文献１】特開２０００−１２４７３３
【特許文献２】特開２０００−２７８０３９
【特許文献３】特開２００２−１３５０３１
【０００４】
【発明が解決しようとする課題】
携帯電話の如き電話の伝送における多重波伝播環境の下においては、伝播効率を高める必要上、ダイバーシチアンテナが使用される。ダイバーシチ方式としては、主として空間ダイバーシチが採用されている。公知の空間ダイバーシチアンテナは、上述した通り、水平偏波用の反射器の大きさと垂直偏波用の反射器の大きさが異なることにより、アンテナを少なくとも２本設置する必要がある。
ところで、ダイバーシチアンテナ装置を建設するには、その設置場所の確保、風圧荷重に対応する基地局の耐久性、その他の設置性を考慮する必要がある。空間ダイバーシチアンテナは少なくとも２本のアンテナを設置する必要があることで、これはその設置性、経済性の観点から望ましくない。
【０００５】
この発明は、複数組のアンテナ素子とこれらに共通の反射器とにより構成してスペースに制限のある場所にも設置することができるダイバーシチ効果を発揮する多周波偏波共用或いは単一周波数アンテナ装置を提供するものである。
【０００６】
【課題を解決するための手段】
請求項１：鉛直に立てた反射器１を具備し、大地と反射器１に水平に並べて配置された低い方の周波数ｆ１  で励振されるダイポールアンテナ素子２１と高い方の周波数ｆ２  で励振されるダイポールアンテナ素子３１より成る第１の水平アンテナ素子対を反射器１の前方に具備し、大地と反射器１に水平に並べて配置された低い方の周波数ｆ１  で励振されるダイポールアンテナ素子２２と高い方の周波数ｆ２  で励振されるダイポールアンテナ素子３３より成る第２の水平アンテナ素子対を反射器１の前方に具備し、第１の水平アンテナ素子対と第２の水平アンテナ素子対とを鉛直方向にアレー配置し、第１の水平アンテナ素子対と第２の水平アンテナ素子対との間に高い方の周波数ｆ２  で励振される中間ダイポールアンテナ素子３２を水平アンテナ素子対に平行に並べて配置した多周波水平偏波共用或いは単一周波数アンテナ装置を構成した。
【０００７】
そして、請求項２：請求項１に記載される多周波水平偏波共用或いは単一周波数アンテナ装置において、高い方の周波数ｆ２  で励振されるダイポールアンテナ素子３１、３２、３３は反射器１との間の距離ｄＨを全て同一とした多周波水平偏波共用或いは単一周波数アンテナ装置を構成した。
ここで、請求項３：鉛直に立てた反射器１を具備し、大地と反射器１に鉛直に並べて配置された低い方の周波数ｆ１  で励振される一方のダイポールアンテナ素子２３を反射器１の前方に具備し、大地と反射器１に鉛直に並べて配置された低い方の周波数ｆ１  で励振される他方のダイポールアンテナ素子２４を反射器１の前方に具備し、一方のダイポールアンテナ素子２３と他方のダイポールアンテナ素子２４とを水平方向にアレー配置し、低い方の周波数ｆ１  で励振される一方のダイポールアンテナ２３と他方のダイポールアンテナ素子２４の２素子アレーの間に、これらと平行に、高い方の周波数ｆ２  で励振されるダイポールアンテナ素子３４、３５を第１の２素子アレーとして配置し、低い方の周波数ｆ１  で励振される一方のダイポールアンテナ２３と他方のダイポールアンテナ素子２４の２素子アレーの間に、これらと平行に、高い方の周波数ｆ２  で動作するダイポールアンテナ素子３６、３７を第２の２素子アレーとして並べて配置し、第２の２素子アレーを中間ダイポールアンテナ素子３２を介在させて第１の２素子アレーの下側に配置した多周波垂直偏波共用或いは単一周波数アンテナ装置を構成した。
【０００８】
そして、請求項４：鉛直に立てた反射器１を具備し、大地と反射器１に水平に並べて配置された低い方の周波数ｆ１  で励振されるダイポールアンテナ素子２１と高い方の周波数ｆ２  で励振されるダイポールアンテナ素子３１より成る第１の水平アンテナ素子対を反射器１の前方に具備し、大地と反射器１に水平に並べて配置された低い方の周波数ｆ１  で励振されるダイポールアンテナ素子２１と高い方の周波数ｆ２  で励振されるダイポールアンテナ素子３１より成る第２の水平アンテナ素子対を反射器１の前方に具備し、第１の水平アンテナ素子対と第２の水平アンテナ素子対とを鉛直方向にアレー配置し、第１の水平アンテナ素子対と第２の水平アンテナ素子対との間に高い方の周波数ｆ２  で励振される中間ダイポールアンテナ素子３２を水平アンテナ素子対に平行に並べて配置した多周波水平偏波共用或いは単一周波数アンテナ装置と、大地と反射器１に鉛直に並べて配置された低い方の周波数ｆ１  で励振される一方のダイポールアンテナ素子２３を反射器１の前方に具備し、大地と反射器１に鉛直に並べて配置された低い方の周波数ｆ１で励振される他方のダイポールアンテナ素子２４を反射器１の前方に具備し、一方のダイポールアンテナ素子２３と他方のダイポールアンテナ素子２４とを水平方向にアレー配置し、低い方の周波数ｆ１  で励振される一方のダイポールアンテナ２３と他方のダイポールアンテナ素子２４の２素子アレーの間に、これらと平行に、高い方の周波数ｆ２  で励振されるダイポールアンテナ素子３４、３５を第１の２素子アレーとして配置し、低い方の周波数ｆ１  で励振される一方のダイポールアンテナ２３と他方のダイポールアンテナ素子２４の２素子アレーの間にこれらと平行に、高い方の周波数ｆ２  で動作するダイポールアンテナ素子３６、３７を第２の２素子アレーとして並べて配置し、第２の２素子アレーを中間ダイポールアンテナ素子３２を介在させて第１の２素子アレーの下側に配置した多周波偏波共用或いは単一周波数アンテナ装置を構成した。
【０００９】
また、請求項５：請求項４に記載される多周波偏波共用或いは単一周波数アンテナ装置において、多周波水平偏波共用或は単一周波数アンテナ装置における高い方の周波数ｆ２  で励振されるダイポールアンテナ素子３１、３２、３３は反射器１との間の距離ｄＨを全て同一とした多周波偏波共用或いは単一周波数アンテナ装置を構成した。
更に、請求項６：請求項４および請求項５の内の何れかに記載される多周波偏波共用或いは単一周波数アンテナ装置において、低い方の周波数ｆ１  で放射される電波の垂直偏波と水平偏波の水平面内ビーム幅は同一とし、高い方の周波数ｆ２  で放射される電波の垂直偏波と水平偏波の水平面内ビーム幅を同一とした多周波偏波共用或いは単一周波数アンテナ装置を構成した。
【００１０】
【発明の実施の形態】
この発明の実施の形態を図の実施例を参照して説明する。
図１を参照するに。１は水平方向断面がコ時型の反射器である。この反射器１を鉛直に立てる。２１は低い方の周波数ｆ１  で励振されるダイポールアンテナ素子であり、大地と反射器１に水平に並べて反射器１の前方に配置される。３１は高い方の周波数ｆ２  で励振されるダイポールアンテナ素子であり、大地と反射器１に水平に並べて反射器１の前方に配置される。このダイポールアンテナ素子２１とダイポールアンテナ素子３１は第１の水平アンテナ素子対を構成している。ｆ１  は周波数ｆ１  の励振源、ｆ２  は周波数ｆ２  の励振源である。
【００１１】
同様にして、２２は低い方の周波数ｆ１  で励振されるダイポールアンテナ素子であり、大地と反射器１に水平に並べて反射器１の前方に配置される。３３は高い方の周波数ｆ２  で励振されるダイポールアンテナ素子であり、大地と反射器１に水平に並べて反射器１の前方に配置される。このダイポールアンテナ素子２２とダイポールアンテナ素子３３は、第２の水平アンテナ素子対を構成している。以上の第１の水平アンテナ素子対と第２の水平アンテナ素子対とは鉛直方向にアレー配置されている。
【００１２】
３２は高い方の周波数ｆ２  で励振される中間ダイポールアンテナ素子であり、第１の水平アンテナ素子対と第２の水平アンテナ素子対との間に水平アンテナ素子対に平行に並べて配置されている。
この実施例は高い方の周波数ｆ２  で励振されるダイポールアンテナ素子と反射器１との間の距離をｄＨとし、低い方の周波数ｆ１  で励振されるダイポールアンテナ素子と反射器１との間の距離をＤＨとして、ｄＨ＜ＤＨとして設計する。ダイポールアンテナ素子と反射器１との間の距離は周波数毎に一定にする。
【００１３】
低い方の周波数ｆ１で動作するダイポールアンテナ素子２１、２２は周波数ｆ１の共通の励振電源により同時に励振される。高い方の周波数ｆ２  で動作する３本のダイポールアンテナ素子３１、３２、３３は周波数ｆ２  の共通の励振電源により同時に励振される。
これら低い方の周波数ｆ１  で励振されるダイポールアンテナ素子２１、２２と反射器１との間の距離ＤＨ、および高い方の周波数ｆ２  で励振されるダイポールアンテナ素子３１、３３と反射器１との間の距離ｄＨをそれぞれ調整、設定することにより、それぞれの水平面内指向性のビーム幅を制御することができる。実施例においては、周波数ｆ１  の電波による垂直偏波の垂直面内ビーム幅と水平偏波の水平面内ビーム幅は同一とされ、周波数ｆ２  の電波による垂直偏波の垂直面内ビーム幅と水平偏波の水平面内ビーム幅は同一とされている。
【００１４】
以上の通りにして、多周波水平偏波共用或いは単一周波数アンテナ装置が構成された。
ここで、「２周波共用アンテナ」とは、周波数ｆ１  で励振されるアンテナ素子の給電点と周波数ｆ２  で励振されるアンテナ素子の給電点を相互接続して共通の１つの給電点とし、この１つの給電点を何れの周波数の励振源も共通に使用してアンテナ素子を励振する見た目は１本のアンテナのことである。そして、「単一周波数アンテナ」とは周波数ｆ１  で励振されるアンテナ素子と周波数ｆ２  で励振されるアンテナ素子を各別の給電点を介して励振する見た目は２本のアンテナ素子より成り、アンテナ素子と反射器との間の距離が相違するアンテナのことである。図１を参照するに、ダイポールアンテナ素子２１の給電点とダイポールアンテナ素子３１の給電点とを共通接続して１個の給電点を形成し、ダイポールアンテナ素子２２の給電点とダイポールアンテナ素子３３の給電点とを共通接続して１個の給電点を形成すると、ダイポールアンテナ素子３２の給電点１点を含めて給電点の合計は３点であり、２周波共用アンテナが構成される。そして、図１において、ダイポールアンテナ素子２１、２２について給電点の数を２点、ダイポールアンテナ素子３１、３２、３３ついて３点とし、合計５点とした場合、単一周波数アンテナが構成される。
【００１５】
次いで、図２を参照して多周波垂直偏波共用或いは単一周波数アンテナ装置を説明する。
２３は低い方の周波数ｆ１で励振される一方のダイポールアンテナ素子であり、大地と反射器１に鉛直に並べて反射器１の前方に配置される。２４は低い方の周波数ｆ２  で励振される他方のダイポールアンテナ素子であり、大地と反射器１に鉛直に並べて反射器１の前方に配置される。この一方のダイポールアンテナ素子２３と他方のダイポールアンテナ素子２４は水平方向にアレー配置されている。
【００１６】
一方のダイポールアンテナ２３と他方のダイポールアンテナ素子２４の２素子アレーの間には、これらと平行に、高い方の周波数ｆ２  で励振されるダイポールアンテナ素子３４、３５を第１の２素子アレーとして配置している。同様に、一方のダイポールアンテナ２３と他方のダイポールアンテナ素子２４の２素子アレーの間に、これらと平行に、高い方の周波数ｆ２  で動作するダイポールアンテナ素子３６、３７を第２の２素子アレーとして並べて配置している。ここで、第２の２素子アレーを、中間ダイポールアンテナ素子３２を中間に介在させた状態で第１の２素子アレーの下側に配置している。
【００１７】
低い方の周波数ｆ１  で励振されるダイポールアンテナ素子２３、２４は、周波数ｆ１の共通の励振電源により同時に励振される。高い方の周波数ｆ２で励振される４本のダイポールアンテナ素子３４、３５、３６、３７は周波数ｆ２  の共通の励振電源により同時に励振される。
低い方の周波数ｆ１  で励振されるダイポールアンテナ素子２３、２４と反射器１との間の距離ＤＶおよび素子相互間隔、高い方の周波数ｆ２  で励振されるダイポールアンテナ素子３４〜３７と反射器１との間の距離ｄＶおよび素子相互間隔を調整設定することにより、それぞれのダイポールアンテナ素子より成るアンテナ装置の垂直面内指向性のビーム幅を制御することができる。実施例においては、周波数ｆ１  の電波による垂直偏波の垂直面内ビーム幅と水平偏波の水平面内ビーム幅は同一とされ、周波数ｆ２  の電波による垂直偏波の垂直面内ビーム幅と水平偏波の水平面内ビーム幅は同一とされている。
【００１８】
図３を参照するに、このアンテナ装置は図１の多周波水平偏波共用或いは単一周波数アンテナ装置と図２の多周波垂直偏波共用或いは単一周波数アンテナ装置とを、両者をそれぞれ構成するダイポールアンテナ素子の相互位置関係を変えないで、単に、そのまま組み合わせて構成した多周波偏波共用或いは単一周波数アンテナ装置に相当する。
ここで、図１〜図３の多周波偏波共用或いは単一周波数アンテナ装置の動作のシミュレーション結果を図４〜図７を参照して説明する。
【００１９】
図４〜図７の放射パターンは、電磁界分布を数値計算するソフトウェアを使用し、アンテナの種類、アンテナの長さ、励振源の励振周波数、反射器の形状、反射器の寸法、給電点、アンテナと反射器との間の位置関係その他の条件を入力して電子計算機により演算処理して求めている。電磁界分布を数値計算するソフトウェアとしては、一例として、ＰＬＡＮＣ−ＭＭ（（株）情報数理研究所）を使用することができる。
図４において、鎖線は図１のアンテナ装置の８００ＭＨｚにおける水平面内指向性パターンを示し、実線は図３のアンテナ装置の８００ＭＨｚにおける水平面内指向性パターンを示す。
【００２０】
図５において、鎖線は図２のアンテナ装置の８００ＭＨｚにおける垂直面内指向性パターンを示し、実線は図３のアンテナ装置の８００ＭＨｚにおける垂直面内指向性パターンを示す。
図６において、鎖線は図１のアンテナ装置の２ＧＨｚにおける水平面内指向性パターンを示し、実線は図３のアンテナ装置の２ＧＨｚにおける水平面内指向性パターンを示す。
図７において、鎖線は図２のアンテナ装置の２ＧＨｚにおける垂直面内指向性パターンを示し、実線は図３のアンテナ装置の２ＧＨｚにおける垂直面内指向性パターンを示す。
【００２１】
ここで、図４を参照するに、鎖線で示される図１のアンテナ装置の８００ＭＨｚにおける水平面内指向性パターンと実線で示される図３のアンテナ装置の８００ＭＨｚにおける水平面内指向性パターンは完全に重なっている。これは、８００ＭＨｚにおける水平面内指向性に関する限り、図１のアンテナ装置と図３のアンテナ装置とは等価のアンテナ装置であるとみることができる。そして、図６を参照するに、鎖線で示される図１のアンテナ装置の２ＧＨｚにおける水平面内指向性パターンと実線で示される図３のアンテナ装置の２ＧＨｚにおける水平面内指向性パターンも完全に重なっている。これは、２ＧＨｚにおいても、水平面内指向性に関する限り、図１のアンテナ装置と図３のアンテナ装置とは等価のアンテナ装置であるとみることができる。これらを総合すると、図３のアンテナ装置は、図１の多周波水平偏波共用或いは単一周波数アンテナ装置と等価のアンテナ装置とすることができる。
【００２２】
図５を参照するに、鎖線で示される図２のアンテナ装置の８００ＭＨｚにおける垂直面内指向性パターンと実線で示される図３のアンテナ装置の８００ＭＨｚにおける垂直平面内指向性パターンは完全に重なっている。これは、８００ＭＨｚにおける垂直面内指向性に関する限り、図２のアンテナ装置と図３のアンテナ装置とは等価のアンテナ装置であるとみることができる。そして、図７を参照するに、鎖線で示される図２のアンテナ装置の２ＧＨｚにおける垂直面内指向性パターンと実線で示される図３のアンテナ装置の２ＧＨｚにおける垂直面内指向性パターンもほぼ重なっている。これは、２ＧＨｚにおいても、垂直面内指向性に関する限り、図２のアンテナ装置と図３のアンテナ装置とは等価のアンテナ装置であるとみることができる。これらを総合すると、図３のアンテナ装置は、図２の多周波垂直偏波共用或いは単一周波数アンテナ装置と等価のアンテナ装置とすることができる。
【００２３】
以上を要約するに、図３のアンテナ装置は、図１の多周波水平偏波共用或いは単一周波数アンテナ装置であると共に図２の多周波垂直偏波共用或いは単一周波数アンテナ装置でもある、結局、多周波偏波共用或いは単一周波数アンテナ装置であることになる。大地と水平に配置されたダイポールアンテナ素子と大地に垂直に配置されたダイポールアンテナ素子とは互いに直交していて、一方のアンテナ素子による電界が他方のアンテナ素子による電界に影響を与えず、指向性は独立して形成される。
【００２４】
【発明の効果】
上述した通りであって、この発明によれば、複数組のアンテナ素子とこれらに共通の反射器とにより構成してスペースに制限のある場所にも設置することができるダイバーシチ効果を発揮する多周波偏波共用或いは単一周波数アンテナ装置を提供することができる。特に、図１のアンテナ装置および図２のアンテナ装置を組み合わせて図３のアンテナ装置を構成することにより、低い方の周波数ｆ１  で励振されるダイポールアンテナ素子と高い方の周波数ｆ２  で励振されるダイポールアンテナ素子に共通の反射器を使用して、低い方の周波数ｆ１  で励振されるダイポールアンテナ素子より成るアンテナと高い方の周波数ｆ２  で励振されるダイポールアンテナ素子より成るアンテナの双方について、垂直偏波と水平偏波の平面内指向性を制御し、これらを合わせることにより、図１と図２の特性をそのまま維持して２周波偏波共用アンテナ装置を構成することができる。
【図面の簡単な説明】
【図１】アンテナ素子を大地に水平に設置した２周波アンテナ装置を示す図。
【図２】アンテナ素子を大地に垂直に設置した２周波アンテナ装置を示す図。
【図３】図１の２周波アンテナ装置のアンテナ素子と図２の２周波アンテナ装置のアンテナ素子とを組み合わせて構成した２周波アンテナ装置を示す図。
【図４】図１および図３双方のアンテナ素子２１、２２に給電した場合の水平面内指向性パターンを示す図。
【図５】図２および図３双方のアンテナ素子２３、２４に給電した場合の垂直面内指向性パターンを示す図。
【図６】図１および図３双方のアンテナ素子３１、３２、３３に給電した場合の水平面内指向性パターンを示す図。
【図７】図２および図３双方のアンテナ素子３４〜３７に給電した場合の垂直面内指向性パターンを示す図。
【符号の説明】
ｄＨ、ｄＶ  高い方の周波数で励振されるダイポールアンテナ素子と反射器との間の距離
ＤＨ、ＤＶ  低い方の周波数で励振されるダイポールアンテナ素子と反射器との間の距離
ｆ１  周波数の励振源
ｆ２  周波数の励振源
１  反射器
２１〜２４  低い方の周波数ｆ１  で励振されるダイポールアンテナ素子
３１〜３７  高い方の周波数ｆ２  で励振されるダイポールアンテナ素子
【図１】
2005033261.tif 000003
【図２】
2005033261.tif 000004
【図３】
2005033261.tif 000005
【図４】
2005033261.tif 000006
【図５】
2005033261.tif 000007
【図６】
2005033261.tif 000008
【図７】
2005033261.tif 000009